(57)【特許請求の範囲】
【請求項１】
一定方向の面状の空気の流れであるエアカーテンを鉛直な平面に沿って形成して当該鉛直な平面の一方の側と他方の側とを遮断するエアカーテン機構を備えた雰囲気遮断浄化装置であって、
エアカーテン機構は、向かい合って配置された送風部及び吸気部とを備えており、
送風部は送風ファン又はコンプレッサを備えていて、吸気部に向けて送風する要素であり、
吸気部は、吸気ファンと、ウイルスを不活化するＨＥＰＡフィルタである抗ウイルスＨＥＰＡフィルタとを備えており、
抗ウイルスＨＥＰＡフィルタは、吸気ファンにより吸い込まれた空気が通過して浄化された後に放出される位置に設けられていることを特徴とする雰囲気遮断浄化装置。
【請求項２】
前記送風部及び前記吸気部は、上下に向かい合って設けられており、
前記一定方向の面状の流れは、鉛直方向の流れであることを特徴とする請求項１記載の雰囲気遮断浄化装置。
【請求項３】
前記吸気部は、流入するエアカーテンをガイドする第一第二の吸気ガイドを有しており、
前記鉛直な面に垂直な方向を前後方向としたとき、第一の吸気ガイドは前記吸気部の前後方向の一方の側の縁から前記送風部の側に鉛直な平面に沿って延びており、第二の吸気ガイドは他方の側の縁から前記送風部の側に鉛直な平面に沿って延びており、
第一第二の吸気ガイドは、前記鉛直な面に沿った方向であって前記一定方向に垂直な方向に長いことを特徴とする請求項１又は２に記載の雰囲気遮断浄化システム。
【請求項４】
前記送風部と前記吸気部とは相互に連結されていて全体として人が手で持ち運べる可搬型であるか、又は前記送風部と前記吸気部は分離していてそれぞれ人が手で持ち運べる可搬型であることを特徴とする請求項１、２又は３記載の雰囲気遮断浄化装置。
【請求項５】
人が発するエアロゾルを請求項１乃至４いずれかに記載の雰囲気遮断浄化装置を使用して浄化するエアロゾル浄化方法であって、
前記一方の側は、エアロゾルを発する人がいる側であり、
人が発したエアロゾルをエアカーテン機構によるエアカーテンに乗せて吸気ファンにより吸い込ませ、抗ウイルスＨＥＰＡフィルタにより浄化することを特徴とするエアロゾル浄化方法。
【請求項６】
トレーニング室を有しており、請求項１乃至４いずれかに記載の雰囲気遮断浄化装置がトレーニング室に設置されており、
雰囲気遮断浄化装置における前記エアカーテン機構は、トレーニング室に設置されたフィットネスマシンを利用者が利用している際、当該利用者の正面の側において前記エアカーテンを作るよう設けられていることを特徴とするフィットネスクラブ。
【請求項７】
請求項１乃至３いずれかに記載の雰囲気遮断浄化装置を備えた医療設備であって、
前記エアカーテン機構における前記送風部及び前記吸気部は、患者を取り囲んで前記エアカーテンが形成されるよう平面視において患者がいる位置を取り囲む形状であることを特徴とする医療設備。
【請求項８】
前記医療設備は、医療用ベッドを備えた病室であり、
前記エアカーテン機構は、医療用ベッドの寝床部の上側の空間を取り囲んでエアカーテンが形成されるよう前記送風部と前記吸気部は平面視において寝床部を取り囲む形状を有しており、寝床部の周囲において向かい合って設けられていることを特徴とする請求項７記載の医療設備。
【請求項９】
前記医療設備は、ストレッチャー又は担架であり、
前記エアカーテン機構は、ストレッチャー又は担架の寝床部の上側の空間を取り囲んでエアカーテンが形成されるよう前記送風部と前記吸気部は平面視において寝床部を取り囲む形状を有しており、寝床部の周囲において向かい合って設けられていることを特徴とする請求項７記載の医療設備。
【請求項１０】
前記医療設備は、座面部を備えた車椅子であり、
前記エアカーテン機構は、座面部の上側の空間を取り囲んでエアカーテンが形成されるよう前記送風部と前記吸気部は平面視において座面部を取り囲む形状を有しており、座面部の周囲において向かい合って設けられていることを特徴とする請求項７記載の医療設備。
【請求項１１】
声又は息を吹き出す演者がいる演者エリアと、聴衆がいる聴衆エリアとを有するイベント会場であって、
請求項１乃至４いずれかに記載の雰囲気遮断浄化装置を備えており、
雰囲気遮断装置のエアカーテン機構は、演者エリアと聴衆エリアとの間において前記エアカーテンが形成されるよう、前記送風部と前記吸気部とは、演者エリアと聴衆エリアとの間において上下に向かい合っていることを特徴とするイベント会場。
【発明の詳細な説明】
【技術分野】
【０００１】
この出願の発明は、ウイルス感染を防止するための雰囲気の遮断技術、及びその応用技術に関するものである。
【背景技術】
【０００２】
この出願が為される時点において、新型コロナウイルスの大流行が大きな社会問題となっている。特に影響を受けているのは、エアロゾル（エアゾルと表記されることもあるが、本願ではエアロゾルで統一する。）の問題が大きくなり易いフィットネスクラブ、劇場、ライブハウス、カラオケ店等の施設である。このような場所では、演じたり、歌を歌ったりする際に人がエアロゾルを発する。ＷＨＯ（世界保健機関）は、新型コロナウイルスにエアロゾル感染があり得ることを認めている。即ち、エアロゾル中にウイルスが含まれていると、感染のリスクが非常に高くなる。したがって、エアロゾルを介した感染を十分に防止しなければ、これらの業種、業態では、経営が厳しい状況は改善されないと見込まれる。
また、院内感染の問題も深刻である。感染者の増大により多くの患者が一つの病院に殺到した場合、対策を余程厳重に取っておかないと、院内感染を防ぐことは難しい。現在、感染者がいるエリアと感染者がいないエリアとを厳格に区分し、感染者がいるエリアから医者や看護師が出てくるときは、マスクや防護服等を交換したり消毒を徹底したりする対策が採られているが、十分とは言いがたい。
新型コロナウイルスを完全に撲滅するのは難しいのではないかとされており、ウイズコロナ、新しい生活様式といった考え方も広がってきている。したがって、上記以外であっても、感染防止対策を日常的に行うことが必須となってくる。
【先行技術文献】
【特許文献】
【０００３】
【特許文献１】特開２０２０−７９６９７号公報
【特許文献２】特開２００９−２９３８６２号公報
【発明の概要】
【発明が解決しようとする課題】
【０００４】
本願の出願人は、上記のような昨今の状況を考慮し、換気構造や抗ウイルスＨＥＰＡフィルタを介した空気循環の構造について特許出願をしている（特願２０２０−０６７０９０、特願２０２０−０７５８２４）。これらの出願では、人が発するエアロゾルを換気扇で吸引して放出したり、ＨＥＰＡフィルタを通して浄化したりしている。しかしながら、発明者らが行った実験では、単に換気扇で吸引しただけでは、エアロゾルを十分に浄化できない問題があることが判ってきた。
【０００５】
発明者らは、スモーク（煙）をエアロゾルに見立てて換気扇による吸引試験を行った。そうしたところ、換気扇は空間的に広がるエアロゾルのうちの一部のみしか吸引せず、残りの多くのエアロゾルは四方八方に拡散してしまうことが判った。この原因は、市販されている換気扇は、文字通り換気が目的であるため、屋内の空間から広く空気を集めるよう設計されていることによる。換気扇は、背後（排気側）では空気の流れが直線的であるが、前方（吸引側）では広い角度から収束する流れである。即ち、吸引に指向性がない。このために一部のエアロゾルしか吸引できない状況となってしまう。
【０００６】
吸引に指向性のある特別な換気扇を設計、製作して使用することも考えられるが、高コストとなってしまう問題がある。また、指向性が高くなると、人が顔を少し横に向けただけでもエアロゾルを吸引しなくなってしまうので、その懸念もある。
本願の発明は、このような課題を解決するために為されたものであり、人が発する飛沫やエアロゾルを十分に吸引し、ウイルスが含まれていたとしても無害化できる優れた浄化装置を提供することを目的としている。また、このような装置を医療現場や各種業種に応用することを目的としている。
【課題を解決するための手段】
【０００７】
上記課題を解決するため、この明細書において、雰囲気遮断浄化装置、エアロゾル浄化方法、フィットネスクラブ、医療設備、イベント会場の各発明が開示される。
開示された発明に係る雰囲気遮断浄化装置は、一定方向の面状の空気の流れであるエアカーテンを鉛直な平面に沿って形成して当該鉛直な平面の一方の側と他方の側とを遮断するエアカーテン機構を備えた雰囲気遮断浄化装置であって、
エアカーテン機構は、向かい合って配置された送風部及び吸気部とを備えており、
送風部は送風ファン又はコンプレッサを備えていて、吸気部に向けて送風する要素であり、
吸気部は、吸気ファンと、ウイルスを不活化するＨＥＰＡフィルタである抗ウイルスＨＥＰＡフィルタとを備えており、
抗ウイルスＨＥＰＡフィルタは、吸気ファンにより吸い込まれた空気が通過して浄化された後に放出される位置に設けられている。
この雰囲気遮断浄化装置は、送風部及び吸気部が上下に向かい合って設けられており、一定方向の面状の流れは鉛直方向の流れであるという構成を持ち得る。
また、この雰囲気遮断浄化装置は、吸気部が流入するエアカーテンをガイドする第一第二の吸気ガイドを有しており、鉛直な面に垂直な方向を前後方向としたとき、第一の吸気ガイドは吸気部の前後方向の一方の側の縁から送風部の側に鉛直な平面に沿って延びており、第二の吸気ガイドは他方の側の縁から送風部の側に鉛直な平面に沿って延びており、第一第二の吸気ガイドは、鉛直な面に沿った方向であって一定方向に垂直な方向に長いという構成を持ち得る。
また、この雰囲気遮断浄化装置は、送風部と吸気部とは相互に連結されていて全体として人が手で持ち運べる可搬型であるか、又は送風部と吸気部は分離していてそれぞれ人が手で持ち運べる可搬型であるという構成を持ち得る。
また、開示された発明に係るエアロゾル浄化方法は、人が発するエアロゾルを上記いずれかの雰囲気遮断浄化装置を使用して浄化するエアロゾル浄化方法であって、一方の側は、エアロゾルを発する人がいる側であり、人が発したエアロゾルをエアカーテン機構によるエアカーテンに乗せて吸気ファンにより吸い込ませ、抗ウイルスＨＥＰＡフィルタにより浄化する方法である。
また、開示された発明に係るフィットネスクラブは、トレーニング室を有しており、上記いずれかの雰囲気遮断浄化装置がトレーニング室に設置されており、雰囲気遮断浄化装置におけるエアカーテン機構は、トレーニング室に設置されたフィットネスマシンを利用者が利用している際、当該利用者の正面の側においてエアカーテンを作るよう設けられている。
また、開示された発明に係る医療設備は、上記いずれかの雰囲気遮断浄化装置を備えた医療設備であり、エアカーテン機構における送風部及び吸気部は、患者を取り囲んでエアカーテンが形成されるよう平面視において患者がいる位置を取り囲む形状である。
この医療設備は、医療用ベッドを備えた病室であり、エアカーテン機構は、医療用ベッドの寝床部の上側の空間を取り囲んでエアカーテンが形成されるよう送風部と吸気部は平面視において寝床部を取り囲む形状を有しており、寝床部の周囲において向かい合って設けられているという構成を持ち得る。
また、この医療設備は、ストレッチャー又は担架であり、エアカーテン機構は、ストレッチャー又は担架の寝床部の上側の空間を取り囲んでエアカーテンが形成されるよう送風部と吸気部が平面視において寝床部を取り囲む形状を有しており、寝床部の周囲において向かい合って設けられているという構成を持ち得る。
また、この医療設備は、座面部を備えた車椅子であり、エアカーテン機構は、座面部の上側の空間を取り囲んでエアカーテンが形成されるよう送風部と吸気部が平面視において座面部を取り囲む形状を有しており、座面部の周囲において向かい合って設けられているという構成を持ち得る。
開示された発明に係るイベント会場は、声又は息を吹き出す演者がいる演者エリアと、聴衆がいる聴衆エリアとを有するイベント会場であって、上記いずれかの雰囲気遮断浄化装置を備えており、雰囲気遮断装置のエアカーテン機構は、演者エリアと聴衆エリアとの間においてエアカーテンが形成されるよう、送風部と吸気部とは、演者エリアと聴衆エリアとの境間において上下に向かい合っている。
【発明の効果】
【０００８】
以下に説明する通り、開示された発明に係る雰囲気遮断浄化装置によれば、人が発する飛沫やエアロゾルは、エアカーテンに乗って吸気ファンに向かい、吸気ファンから吸気されて抗ウイルスＨＥＰＡフィルタを通して室内に再放出される。このため、放出される飛沫やエアロゾルが十分に無害化される。このため、エアカーテンで遮断された一方の側にウイルス感染者がいたとしても、他方の側にいる人が感染してしまうことがなくなる。
また、鉛直面に垂直な水平方向の前後に吸気ガイドが設けられている構成では、エアロゾルの流れが跳ね返されてしまうのがさらに抑制されるという効果が得られる。
また、可搬型の雰囲気遮断浄化装置の場合、必要な場所に持っていって簡便にウイルス感染防止対策を行うことができ、この点で特に好適となる。
また、開示された発明に係るエアロゾル浄化方法によれば、人の発するエアロゾルがエアカーテンに乗って吸気ファンに向かい、吸気ファンから吸気されて抗ウイルスＨＥＰＡフィルタを通して室内に再放出される。このため、エアロゾルが十分に浄化される。
また、開示された発明に係るフィットネスクラブによれば、雰囲気遮断浄化装置が設置されているので、利用者が発する飛沫やエアロゾルが十分に浄化される。このため、利用者が新型コロナウイルスのような感染症に万が一感染していても、トレーニング室にいる他の利用者にうつしてしまうことが抑制される。さらに、循環型のシステムを採用するので、冷暖房のコストが高くなる問題もない。そして、エアカーテン機構が、トレーニング室に設置されたフィットネスマシンを利用者が利用している際、当該利用者の正面の側においてエアカーテンを作る位置に設けられているので、飛沫やエアロゾルが多く放出される状況において当該飛沫やエアロゾルを十分に無害化できるようになり、この点で特に好適となる。
また、開示された発明に係る医療設備によれば、患者を取り囲んだ状態のエアカーテンがエアカーテン機構によって形成されるので、患者がウイルスの感染源になってしまったり、逆に患者が別の人からウイルスに感染してしまったりすることが防止される。
また、開示された発明に係るイベント会場によれば、演者エリアと聴衆エリアとを遮断してエアカーテンが形成されるので、演者が万が一ウイルスに感染していても、抗ウイルスＨＥＰＡフィルタによって無害化され、聴衆が感染してしまうことはない。また、エアカーテンという空気の流れが存在するだけであるので、聴衆にとって違和感はなく、イベントの状況が損なわれてしまうことはない。
【図面の簡単な説明】
【０００９】
【図１】第一の実施形態の雰囲気遮断浄化装置の斜視概略図である。
【図２】第一の実施形態の雰囲気遮断浄化装置の正面概略図である。
【図３】第一の実施形態の雰囲気遮断浄化装置の使用状態の一例を示す側面断面概略図である。
【図４】第二の実施形態の雰囲気遮断浄化装置の主要部の側面断面概略図である。
【図５】第二の実施形態における各吸気ガイドの効果について説明するための参考図であり、吸気ガイドがない場合のエアカーテン及びエアロゾルの流れについて示した概略図である。
【図６】他の実施形態に係るフィットネスクラブの平面概略図である。
【図７】医療設備の一実施形態である病室の主要部の斜視概略図である。
【図８】医療設備の別の一実施形態であるストレッチャーの斜視概略図である。
【図９】医療設備のさらに別の一実施形態である車椅子の斜視概略図である。
【図１０】イベント会場の発明の実施形態について主要部を示した概略図である。
【図１１】第三の実施形態の雰囲気遮断浄化装置の正面断面概略図である。
【図１２】第四の実施形態の雰囲気遮断浄化装置の正面断面概略図である。
【発明を実施するための形態】
【００１０】
以下、開示された各発明を実施するための形態（実施形態）について説明する。
図１〜図３は、第一の実施形態に係る雰囲気遮断浄化装置の概略図であり、図２は斜視概略図、図２は正面概略図、図３は側面断面概略図である。図１〜図３に示す雰囲気遮断浄化装置は、エアカーテンによって雰囲気を遮断しつつ浄化する装置である。
以下に説明するする実施形態の雰囲気遮断浄化装置は、エアロゾルを浄化するものでもある。したがって、以下の説明は、エアロゾル浄化方法の発明の実施形態の説明でもある。
【００１１】
実施形態の雰囲気遮断浄化装置は、鉛直面内の一定方向の空気の流れであるエアカーテンＦを作るエアカーテン機構１を備えている。エアカーテンＦは、鉛直面内での一定方向の空気の流れが当該一定方向に垂直な方向であって鉛直面に沿った方向に分布している空気の流れである。説明の都合上、当該一定方向に垂直な方向であって鉛直面に沿った方向を、以下、分布方向という。この実施形態では、空気の流れは鉛直方向であるので、分布方向は水平方向である。
【００１２】
この実施形態において、エアカーテン機構１は、向かい合って配置された送風部及び吸気部を備えている。この実施形態では、送風部は送風ファン２であり、吸気部は吸気ファン３である。これら一対のファン２，３でエアカーテンＦが形成されることが、実施形態の雰囲気遮断浄化装置の特徴点の一つとなっている。
この実施形態では、送風ファン２は下方に設置されており、吸気ファン３は送風ファン２の真上に設置されている。したがって、エアカーテンＦは、下から上への流れである。
【００１３】
図１及び図２に示すように、この実施形態では複数の送風ファン２が設置されている。送風ファン２は、一方向に並んで設けられている。この方向はエアカーテンＦにおける分布方向に一致している。この例では、送風ファン２は２０ｃｍ角程度の小型のものであり、６個程度並べて設置されている。
図２に示すように、各送風ファン２は、室内の床面から少し高い位置に設けられている。例えば、１０ｃｍ〜１００ｃｍ程度の高さの空間が下側にできるよう各送風ファン２は設けられている。各送風ファン２は、床に固定されたフレーム２１によって保持されている。
【００１４】
吸気ファン３も、この実施形態では複数設けられており、例えば２個程度設けられている。各吸気ファン３は、各送風ファン２より少し大きく例えば４０ｃｍ角程度の大きさである。各吸気ファン３も分布方向に並べられている。
二つの吸気ファン３は、吸気ユニット３０の一要素となっている。吸気ユニット３０は、二つの吸気ファン３と、抗ウイルスＨＥＰＡ(High Efficiency Particulate Air)フィルタ４と、ユニットボックス３００とを備えており、ユニットボックス３００内に吸気ファン３と抗ウイルスＨＥＰＡフィルタ４が収容された構造のユニットである。この例では、抗ウイルスＨＥＰＡフィルタ４は、吸気ファン３の排気側（上側）に設けられている。
【００１５】
ユニットボックス３００は、骨格状のフレーム３０１と、フレーム３０１に取り付けたボード３０２等から成っている。フレーム３０１は例えばアルミ製であり、ボード３０２は例えば樹脂製である。二つの吸気ファン３は、ユニットボックス３００の下面開口に取り付けられている。二つの吸気ファン３が占める水平方向の領域はユニットボックス３００の下面開口より少し小さく、この部分を塞ぐ下面板（符号省略）が設けられている。
【００１６】
抗ウイルスＨＥＰＡフィルタ４は、ユニットボックス３００内の上側の領域を占める状態で取り付けられている。抗ウイルスＨＥＰＡフィルタ４の水平方向の断面の大きさは、ユニットボックス３００の内部空間の水平方向断面の大きさとほぼ等しく、高さは、ユニットボックス３００の内部空間よりも少し小さくなっている。このため、抗ウイルスＨＥＰＡフィルタ４の下側には、空間４０が形成されている。この空間４０は、抗ウイルスＨＥＰＡフィルタ４に入る流れをより均一にするためのバッファ空間である。尚、抗ウイルスＨＥＰＡフィルタ４は、フレーム３０１の一部であり梁部３１１に係止される状態で取り付けられている。梁部３１１をガイドレール状とし、抗ウイルスＨＥＰＡフィルタ４を引き出して交換する構造（交換容易な構造）としても良い。
【００１７】
尚、抗ウイルスＨＥＰＡフィルタ４は、ウイルスを捕集して不活化するＨＥＰＡフィルタである。例えば、日本無機株式会社（本社：東京都台東区東上野）製のヴァニッシュフィルタ（商品名）がウイルスＨＥＰＡフィルタ４として使用できる。
ユニットボックス３００の上面は開口となっており、抗ウイルスＨＥＰＡフィルタ４に達した流れは、抗ウイルスＨＥＰＡフィルタ４を抜けてそのまま上に放出されるようになっている。この際、抗ウイルスＨＥＰＡフィルタ４の作用により雰囲気の浄化が行われる。即ち、エアカーテンＦの一方の側にウイルス感染者がいて飛沫やエアロゾルを放出したとしても、飛沫やエアロゾルに含まれ得るウイルスはエアカーテンＦの流れに乗って抗ウイルスＨＥＰＡフィルタ４に達して無害化される。
【００１８】
このような雰囲気遮断浄化装置は、フィットネスクラブのようなエアロゾルを盛んに発する人がいる室内環境において好適に使用される。この例が図３に示されている。従って、図３は、フィットネスクラブの発明の実施形態を示した図でもある。
フィットネスクラブには、エアロバイク（登録商標）のような有酸素系の運動を行うマシンや、各種筋力トレーニングを行うマシン（以下、これらをフィットネスマシンと総称する。）が設置されている。これらフィットネスマシンＭを使用する利用者からは、使用中（トレーニング中）、飛沫やエアロゾルが盛んに放出される。特に、有酸素系のフィットネスマシンＭを使用する利用者は、激しく呼吸を行うため、この傾向が顕著である。
【００１９】
図３に示すように、飛沫やエアロゾルは、利用者の正面の側に向けて放出される。この際、実施形態の雰囲気遮断浄化装置は、利用者の正面の位置にエアカーテンＦが形成されるよう設置される。利用者の顔とエアカーテンＦとを結ぶ水平線がエアカーテンＦに対して垂直となる状態が理想的である。
尚、エアカーテンＦは、フィットネスマシンＭを利用する利用者の顔から２ｍ以内の位置に形成されることが好ましい。これは、ウイルスを含んだ飛沫の飛散は２ｍの範囲内とされているからであり、飛沫をエアカーテンＦに乗せて捕集することを考慮すると、２ｍ以内とすることが好ましい。尚、フィットネスマシンＭを利用する利用者の位置は、フィットネスマシンにおいて通常定められている。エアロバイク等のように座って利用するマシンは、サドルの位置が利用位置であり、サドルの中央から水平方向に２ｍ以内の位置にエアカーテンＦが形成されることが好ましい。ランニングマシンの場合には、ベルトローラーにおいて利用者が位置する位置として推奨されている位置から水平方向に２ｍ以内の位置である。
【００２０】
利用者から放出される飛沫やエアロゾルは、エアカーテンＦに達し、その流れに乗って上方に移動する。そして、吸気ファン３を通してユニットボックス３００内に入り、バッファ空間１０を経て抗ウイルスＨＥＰＡフィルタ４に達する。そして、流れに含まれる塵や埃は抗ウイルスＨＥＰＡフィルタ４で捕集される他、ウイルスが含まれている場合、抗ウイルスＨＥＰＡフィルタ４で無害かされる。そして、このように浄化された空気がユニットボックス３００の上面開口から室内に放出される。
尚、飛沫のうち、粒子が大きいものは重いのでエアカーテンＦに達する前に床に落ちる場合もある。一方、小さな軽い飛沫は、エアカーテンＦに達すると、それに乗って上昇し、エアロゾルとともに抗ウイルスＨＥＰＡフィルタ４で捕集され、無害化される。
【００２１】
このように、実施形態の雰囲気遮断浄化装置によれば、飛沫やエアロゾルを発する人の正面にエアカーテンＦが形成され、そのエアカーテンＦに乗って飛沫やエアロゾルは吸気ファン３に向かい、吸気ファン３から吸気されて抗ウイルスＨＥＰＡフィルタ４を通して室内に再放出される。このため、放出される飛沫やエアロゾルが十分に無害化される。
尚、室内の空気が循環される点は、エネルギー効率の点で良好であり、全体のランニングコストが安くできるという効果をもたらす。エアロゾルによる影響を無くす構成としては、吸気して集めたエアロゾルをダクトで屋外に放出する構成もあり得る。しかしながら、この構成では、冷暖房の際のエネルギー効率が非常に悪くなり、冷暖房の費用も含めた全体のランニングコストが膨大なものとなってしまう。抗ウイルスＨＥＰＡフィルタ４により無害化しながら循環させる構成では、このような問題はない。
【００２２】
また、人の正面にエアカーテンＦを形成して飛沫やエアロゾルを除去する構成は、視界が遮られないという点で別の顕著な効果をもたらす。例えば、人の正面に換気扇を設け、それに排気ダクトをつなげてダクト中に抗ウイルスＨＥＰＡフィルタ４を設ける構成も考えられる。このような構成でも良いのであるが、正面に換気扇やダクトがあるため、視界が遮られ、見栄えが悪いという問題がある。
【００２３】
エアカーテンＦの場合、空気の流れであるから、そこを通して反対側を視認することができ、見栄えも悪くならない。フィットネスクラブの場合、フィットネスマシンＭの正面側にテレビモニタＴＭを設け、利用者がテレビを見ながらフィットネスマシンＭを利用できるようにしている場合が多い。この場合、図３に示すように、テレビモニタＴＭとフィットネスマシンＭとの間にエアカーテンＦが形成されるように雰囲気遮断浄化装置を設置すれば、テレビモニタＴＭの視認が阻害されることはない。テレビモニタＴＭではなく、外の景色を見ながら運動ができるようにフィットネスマシンＭが設置されている場合も多いが、この場合も、それが阻害されることはなく、開放感を感じながら運動を行うことができる。
【００２４】
次に、第二の実施形態の雰囲気遮断浄化装置について説明する。図４は、第二の実施形態の雰囲気遮断浄化装置の主要部の側面断面概略図である。
図４に示すように、第二の実施形態の雰囲気遮断浄化装置は、吸気ファン３に対して吸気ガイド３１、３２を取り付けた構成となっている。以下、説明の都合上、エアカーテンＦが形成される鉛直面に垂直な水平方向を前後方向とし、飛沫やエアロゾルを発する人がいる側を手前側、これとは反対側を奥側とする。
【００２５】
図４に示すように、この実施形態では二つの吸気ガイド３１，３２が設けられている。第一の吸気ガイド３１は、吸気ファン３の手前側の縁に取り付けられて下方に延びている。第二の吸気ガイド３２は吸気ファン３の奥側の縁に取り付けられて下方に延びている。各吸気ガイド３１，３２とも、エアカーテンＦの分布方向（図４の紙面垂直方向）に長いものであり、帯板状である。
【００２６】
第二の吸気ガイド３１，３２は、単純な帯板状であるが、第一の吸気ガイド３１は、図４に示すように、下端が奥側斜め上方に折り曲げられた状態となっている。
これら各吸気ガイド３１、３２は、人が発するエアロゾルの跳ね返りを抑制し、浄化作用をより高める効果を有している。この点について、図５を参照して説明する。図５は、第二の実施形態における各吸気ガイド３１，３２の効果について説明するための参考図であり、吸気ガイドがない場合のエアカーテンＦ及びエアロゾルＥの流れについて示した概略図である。
【００２７】
エアカーテンＦは人の正面に形成されるため、図５に示すように、人が発するエアロゾルＥは、大まかにはエアカーテンＦに垂直に衝突する状態となる。この場合、多くのエアロゾルＥは、エアカーテンＦに乗って上昇して吸引ファンに吸引されるのであるが、図５に示すように、衝突によって跳ね返り、手前側（人の側）に戻ってしまうエアロゾルＥ’も少なからず生じる。
エアロゾルＥ’の跳ね返りは、斜め上に流れてエアカーテンＦに衝突する際に生じ易い。斜め下に流れてエアカーテンＦに衝突するエアロゾルについては、送風ファン２の流れに対して比較的正面からぶつかる状態になるため、跳ね返りにくく、エアカーテンＦに乗り易い。しかし、斜め上に流れるエアロゾルＥ’については、エアカーテンＦの方向に対して同じ方向の流れ成分が多いため、跳ね返り易い。
【００２８】
第二の実施形態の雰囲気遮断浄化装置は、このような点を考慮し、第一の吸気ガイド３１を設け、跳ね返りを防止している。図４に示すように、第一の吸気ガイド３１は、跳ね返ろうとするエアロゾルＥ’を奥側に戻し、吸気ファン３によって吸引されるようにする。
第二の吸気ガイド３２は、第一の吸気ガイド３１による戻りによってエアカーテンＦが乱れるのを防止するものである。第一の吸気ガイド３１のみであると、第一の吸気ガイド３１が奥側に押し戻す流れを形成するため、エアカーテンＦが奥側に逸れた状態で吸気ファン３に達し易い。第二の吸気ガイド３２は、これを抑制する。尚、第一の吸気ガイド３１は、下端が奥側に折り曲げられているのがより効果的であるが、折り曲げられていなくても、効果はある。
各吸気ガイド３１，３２は、エアカーテンＦを分布方向においてカバーすることが好ましい。即ち、二つの吸気ファン３の分布方向の全体の長さ又はそれ以上の長さであることが好ましい。
【００２９】
次に、フィットネスクラブの発明の他の実施形態について説明する。図６は、他の実施形態に係るフィットネスクラブの平面概略図である。
フィットネスクラブは、トレーニング室を有しており、図６はトレーニング室の平面概略図である。図６に示すように、トレーニング室には複数のフィットネスマシンＭ，Ｍ’が設置されている。これらフィットネスマシンＭ，Ｍ’は、横に並べて設置されている。
【００３０】
これらフィットネスマシンにおいては、マシン自体について正面の概念があるものがある。正面の概念とは、利用中の人の顔が向く側である。例えば、エアロバイク（登録商標）については、利用者はサドルに座ってペダルをこぐが、その利用者にとっての正面の側がエアロバイク（登録商標）にとっての正面の側である。ランニングマシンについても、ベルトローラーに乗って走る動作をするが、その際の利用者の向く側が正面の側である。利用者が同じ場所でステップを踏むステップ式マシンについても、利用者が向く側が正面の側である。これらとは反対側が、背後ということになる。以下、正面−背後を前後方向という。
【００３１】
図６に示すように、この実施形態のフィットネスクラブは、各フィットネスマシンＭの間に遮蔽シート５１を設けている。遮蔽シート５１は、透明なビニールシートである。遮蔽シート５１は、各フィットネスマシンＭ，Ｍ’が設置された空間を前後方向に仕切っている。
この実施形態においても、雰囲気遮断浄化装置１０が設置されている。雰囲気遮断浄化装置１０は、１台のフィットネスマシンＭ，Ｍ’に対して１セット設けられている。各雰囲気遮断浄化装置１０は、各フィットネスマシンＭ，Ｍ’の正面の側にエアカーテンＦが形成されるよう設置されている。したがって、分布方向は、各フィットネスマシンＭ，Ｍ’の前後方向に対して垂直な方向である。
【００３２】
このような実施形態のフィットネスクラブにおいて、幾つかのフィットネスマシンＭ’の背後には、補助送風ファン５２が設けられている。この点は、フィットネスマシンＭ’のタイプを考慮したものである。
エアロバイクやランニングマシン、ステップ式マシンとったフィットネスマシンＭは、利用者が顔を上げた状態（下を向かない状態）では顔は常に一定の側に向いており、これが正面の側である。しかしながら、上半身のひねり運動を行うマシン（ロータリマシン）の場合、左右に顔が振られるため、右を向いたり、左を向いたりする。このため、飛沫やエアロゾルが放出される方向も、左右に振られることになる。
【００３３】
また、１台のマシンで複数の異なる運動が行えるマルチタイプのフィットネスマシン（マルチマシン）についても、特に正面−背後の概念はなく、利用中の人の顔の向きは、幾つかの異なる向きとなり、一定ではない。
実施形態のフィットネスクラブは、この点を考慮し、このように飛沫やエアロゾルの放出方向が一定でないフィットネスマシン（以下、不定方向マシンという。）Ｍ’が設置されたエリアについては、補助送風ファン５２を設置している。
【００３４】
不定方向マシンＭ’についても、図６に示すように他のフィットネスマシンＭ，Ｍ’との境界部分に遮蔽シート５１が設けられている。１台の不定方向マシンＭ’について見ると、一対の互いに平行な遮蔽シート５１に挟まれた状態である。
不定方向マシンＭ’については、一対の遮蔽シート５１が延びる方向が前後方向ということになる。図６に示すように、不定方向マシンＭ’の前後方向の一方の側に雰囲気遮断浄化装置１０が設置され、他方の側に補助送風ファン５２が設置されている。マルチマシンは、どちらの側でも良いが、ロータリーマシンについては、体をひねっていない状態の利用者の顔が向いている側が前（正面）側とし、この側に雰囲気遮断浄化装置が設置されている。尚、フィットネスマシンＭ，Ｍ’が設けられたエリアのサイズに応じて、各雰囲気遮断浄化装置は、エアカーテンＦの分布方向に適宜の長さを有している。即ち、送風ファン２や吸気ファン３の台数や抗ウイルスＨＥＰＡフィルタ４のサイズ等が適宜選定されている。
【００３５】
図６及び上記説明から解るように、不定方向マシンＭ’が設置されたエリアについては、他方の側から補助送風ファン５２により風が送られ、利用者が飛沫やエアロゾルはこの風に乗って雰囲気遮断浄化装置におけるエアカーテンＦに衝突することになる。このため、飛沫やエアロゾルの初期の向きが前後方向ではなかったとしても、補助送風ファン５２のよる流れにより迅速にエアカーテンＦに向かい、吸気ファン３によって吸い込まれて抗ウイルスＨＥＰＡフィルタ４に達する。このため、不定方向マシンＭ’についても、飛沫やエアロゾルを十分に無害化できるようになっている。
尚、正面の概念のあるフィットネスマシンＭが設置されたエリアについても、背後から風を送る補助送風ファンを設けても良く、その方が無害化の効果が高まる。この点は、フィットネスクラブ以外の利用例でも同様である。エアカーテンＦに向けて水平に風を送る補助送風ファンを設置すると、飛沫やエアロゾルがエアカーテンＦに向かって迅速に送られるので、無害化の効果が高くなる。
【００３６】
上述した各実施形態の雰囲気遮断浄化装置において、エアカーテンＦを形成するエアカーテン機構１は、下側が送風ファン２、上側が吸気ファン３であったが、この関係は逆であっても良い。この場合には、抗ウイルスＨＥＰＡフィルタ４を含む吸気ユニット３０も下側に設けられることになり、エアカーテンＦは上から下への流れとなる。
【００３７】
但し、抗ウイルスＨＥＰＡフィルタ４を含む吸気ユニット３０は、送風ファン２に比べて占有スペースが大きくなる傾向があり、これを考慮すると、上側が吸気ファン３の方が有利である。即ち、下側の空間は種々の機器が設置されていたり、人が通るスペースを確保する必要があったりするので、大きさ占有スペースの機器を新たに設置することが難しい場合が多い。一方、上側の空間は、比較的大きな空きスペースがあり、大きな占有スペースの機器が天井吊り下げ等によって容易に設置できる。このため、上側が吸気ファン３である構造の方が設置が容易な場合が多い。
一方、メンテナンス性という点では、下側が吸気ファン３である構造の方が有利である。抗ウイルスＨＥＰＡフィルタ４は、上記のように定期的に交換される。その頻度は高くはないが、交換の際、抗ウイルスＨＥＰＡフィルタ４が高い位置にあると、交換作業に手間がかかる可能性もある。この点では、下側が吸気ファン３の構造の方が有利である。
【００３８】
また、重量の大きな飛沫を取り込みを考慮した場合にも、下側が吸気ファン３の方が有利である。重量の大きな飛沫の場合、斜め下方に落下しながらエアカーテンＦに到達する場合があり得るが、下から上への流れであると、この飛沫を上昇させることができず、抗ウイルスＨＥＰＡフィルタ４に取り込めないことがあり得る。下側が吸気ファン３であると、上から下へのエアカーテンＦとなるので、重量の大きな飛沫であっても抗ウイルスＨＥＰＡフィルタ４に取り込める可能性が高い。
【００３９】
尚、雰囲気遮断浄化装置においては、エアカーテンＦの方向が水平方向であっても良い。たとえば、右から左に流れるエアカーテンＦであっても良い。但し、水平方向のエアカーテンＦの場合、送風ファン２及び吸気ファン３を左右に配して上下に延びるようにするので、構造的に煩雑になったり、人の通行の邪魔になったりすることがあり得る。これを考慮すると、上下方向のエアカーテンＦの構成の方が好ましい。
尚、水平方向のエアカーテンを形成するカーテン機構を採用する構成としては、例えば、ドアのない部屋の出入り口に設置する構成が考えられる。例えば、フィットネスクラブにおいてトレーニング室の出入り口に水平方向のエアカーテンが形成されるよう雰囲気遮断浄化装置を設置しても良い。
【００４０】
また、抗ウイルスＨＥＰＡフィルタ４の位置は、吸気ファン３に対して吸気側であっても良い。この場合は、吸気ファン３を、抗ウイルスＨＥＰＡフィルタ４を通して吸気し、この際に浄化を行うことになる。
さらに、送風ファン２や吸気ファン３は、いわゆる軸流ファンであったが、クロスフローファンのような長尺な送風口／吸気口を有するファンであっても良い。
【００４１】
また、送風ファン２や吸気ファン３については、人感センサを設けて人がいる時のみ動作する構成であっても良いし、常時（２４時間）動作する構成であっても良い。また、フィットネスクラブのトレーニング室に設けられる構成の場合、フィットネスマシンＭ，Ｍ’の動作開始と連動して動作が開始され、フィットネスマシンＭ，Ｍ’の動作停止と連動して動作が停止する構成であって良い。
【００４２】
上記各実施形態では、送風部は送風ファン２であり、吸気部は吸気ファン３であったが、送風部は、送風を行う装置の要素という程度の意味であり、送風ファン自体である必要はない。別の場所に送風ファンが設けられていて送風ダクトで接続されており、その送風ダクトの終端部に設けられたスリット状の送風口であっても良い。送風口の長さ方向は、上記分布方向に向くよう設置される。吸気部についても、吸気ファンが別の場所に設けられていて、吸引ダクトや吸引管のような部材が吸気ファンに接続されており、この部材に設けられた吸気口が送風部と向かい合っていても良い。
送風部が、送風口を備えた要素とされる構成では、送風部は、コンプレッサを備えていても良い。コンプレッサで圧縮された空気をチューブ又はダクト等で送り、送風口から送風する構成を採用し得る。
尚、吸引に指向性のある特別な換気扇についてのコスト上の問題について前述したが、本願発明の実施に際しては、吸引に指向性のある特別な換気扇を吸気ファン３として使用することを排除するものではない。送風ファン２についても同様である。
【００４３】
次に、上記のような雰囲気遮断浄化装置を応用した各発明について説明する。
まず、医療設備の発明の実施形態について説明する。以下の説明において、医療設備とは、医療に用いられる設備であり、建物等に固定されている設備の他、移動式の設備や可搬式の設備の場合もある。
【００４４】
図７は、医療設備の一実施形態である病室の主要部の斜視概略図である。
この病室は、雰囲気遮断浄化装置を備えたものとなっている。雰囲気遮断浄化装置は、同様に、送風部と吸気部とを含むエアカーテン機構１を備えており、エアカーテン機構１が形成するエアカーテンにより雰囲気を遮断して浄化する装置である。
この実施形態では、遮断される一方の雰囲気は、患者がいる側の雰囲気である。この例では、患者は医療用ベッド６にいるので、エアカーテン機構１により形成されるエアカーテンの一方の側は医療用ベッド６の寝床部６１の上側の空間である。したがって、図７に示すように、医療用ベッド６の寝床部６１の周囲に、送風部が設けられている。
【００４５】
エアカーテン機構１によるエアカーテンは、寝床部６１の上側の空間を取り囲む必要があるため、送風部は、寝床部６１の周囲に切れ目なく延びている。この例では、送風部は並べられた多数の送風ファン２で形成されている。即ち、図７に示すように、各送風ファン２は、ロ状に詰めて並べられて設けられている。
吸気部は、同様に、送風部と向かい合って設けられている。送風部がロ状を成しているので、吸気部もロ状を成している。吸気部は、同様に、吸気ファン３と、抗ウイルスＨＥＰＡフィルタ４とを備えている。この例では、１個の吸気ファン３の上側に１個の抗ウイルスＨＥＰＡフィルタ４が設けられて１個の吸気ユニット３０が形成されており、この吸気ユニット３０がロ状に並べてられて相互に連結されて吸気部が構成されている。
【００４６】
また、吸気部において、各吸気ユニット３０が並ぶロ状の内側には、閉鎖シート３３が設けられている。閉鎖シート３３は、この内側を通ってウイルスが飛散しないように閉鎖するものである。閉鎖シート３３については、例えば塩ビ製の透明なシートを採用し得る。尚、閉鎖シート３３は念のための部材であり、必須ではない。
このような吸気部は、不図示の吊り下げ棒により天井に固定されている。吊り下げ棒は、吸気部の幅方向に２本、ロ状の輪郭方向に６〜８本程度設けられている。
【００４７】
このような構成の雰囲気遮断浄化装置が設けられた病室においては、患者が医療用ベッド６で寝ている際、患者を取り囲んだ状態のエアカーテンがエアカーテン機構１によって形成される。このため、患者がウイルス感染者であった場合でも、患者が出す飛沫やエアロゾルは各吸気ユニット３０内の抗ウイルスＨＥＰＡフィルタ４によって無害化される。逆に、エアカーテンの外の雰囲気にウイルスが存在していた場合でも、同様にエアカーテンによって吸い上げられて抗ウイルスＨＥＰＡフィルタ４によって無害化される。例えば、自分がウイルス感染者であることを知らずにお見舞いに来てしまった者がいたとしても、その者が発する飛沫やエアロゾルは、エアカーテンによって吸い上げられて抗ウイルスＨＥＰＡフィルタ４によって無害化される。
【００４８】
この実施形態では、エアカーテン機構１を構成する送風部が医療用ベッド６に固定されていて、医療用ベッド６と一緒に移動可能となっており、吸気部は天井に固定である。したがって、吸気部は、病室において各医療用ベッド６を置く位置の上方にそれぞれ設置されている。医療用ベッド６の移動の際には、移動後の位置において送風部と吸気部とが上下に向かい合うよう状態とされる。
尚、通常、送風部の送風ファン２の動作スイッチと吸気部の吸気ファン３の動作スイッチは別々となるので、動作開始の際にはそれぞれスイッチをオンにする。
【００４９】
図８は、医療設備の別の一実施形態であるストレッチャーの斜視概略図である。
ストレッチャー７は、寝床部７１を備えており、寝床部７１に救急患者を寝かせて搬送する器具である。図８に示すように、この実施形態におけるストレッチャー７は、雰囲気遮断浄化装置を備えたものとなっている。
寝床部７１は、略長方形の枠状の主フレーム７２の内側に設けられている。主フレーム７２には、不図示のベース板が固定されており、寝床部７１はベース板の上に固定されている。主フレーム７２には、前後左右に四本の脚部７３が固定されており、各脚部７３の下端には車輪７４が設けられている。
【００５０】
そして、主フレーム７２には、送風部と吸気部とが取り付けられている。図７と同様、送風部は、寝床部７１を取り囲むロ状の形状であり、複数の送風ファン２をロ状に繋げた構造となっている。詳細の図示は省略するが、ロ状のファンフレームを主フレーム７２に対して固定し、ファンフレームに各送風ファン２を固定する構成が採用できる。
また、図８に示すように、主フレーム７２には、前後左右に四本の支柱３４が固定されている。これら支柱３４は、上方に設けられた吸気部を固定して支持する部材である。
【００５１】
吸気部も、図７と同様に、１個の吸気ファン３と１個の抗ウイルスＨＥＰＡフィルタ４とから成る吸気ユニット３０をロ状に連ねた構造のものである。吸気部についても、ロ状のユニットフレームが支柱３４の上端に固定されて支柱３４に支持されており、ユニットフレームに対して各吸気ユニット３０が固定された構造を採用し得る。また、同様に、各吸気ユニット３０が並ぶロ状の内側は、閉鎖シート３３で閉鎖されている。
【００５２】
尚、ストレッチャーには、不図示のバッテリーが取り付けられている。送風部の各送風ファン２と吸気部の各吸気ファン３は、バッテリーに結線されており、バッテリーから給電される。バッテリーは、例えばベース板の下面に固定される。
ストレッチャー７は折り畳み式の場合が多いが、これを考慮して、雰囲気遮断浄化装置も着脱式とし得る。例えば、送風部のファンフレームを主フレーム７２にフックで引っ掛ける構造とし、吸気部を固定した各支柱３４は主フレーム７２に差し込み固定する構造とされ得る。
【００５３】
この実施形態においても、寝床部７１で寝ている救急患者を取り囲んでエアカーテンが形成されて雰囲気が遮断される。このため、救急患者が発する飛沫やエアロゾルはエアカーテンによって吸気部に吸気され、抗ウイルスＨＥＰＡフィルタ４で無害化される。このため、救急患者がウイルス感染者であったとしても、救急隊員等を感染させてしまうことが防止される。
【００５４】
ストレッチャーと同様に使用されるものとして、担架がある。担架とストレッチャーの違いは、後者が伸縮自在であり、前者がそうではないものと捉えることができるが、担架についても同様に実施できる。即ち、寝床部の上側の空間を取り囲んでエアカーテンが形成されるようにエアカーテン機構を設け、吸気ファンが吸い込んだウイルスを抗ウイルスＨＥＰＡフィルタが無害化するようにする。
【００５５】
図９は、医療設備のさらに別の一実施形態である車椅子の斜視概略図である。
図９に示す車椅子８は、医療設備としての車椅子であるので、患者が座って使用することが想定されたものである。この車椅子８も、雰囲気遮断浄化装置が搭載されている。
図９に示すように、車椅子８は、座面部８１と、座面部８１を固定した主フレーム８２とを備えている。そして、主フレーム８２には、エアカーテン機構１を構成する送風部と吸気部とが固定されている。
【００５６】
この実施形態では、送風部は、コンプレッサ２２を備えており、コンプレッサ２２で風を送ってエアカーテンを形成する要素となっている。具体的には、送風部は、コンプレッサ２２と、コンプレッサ２２に接続されたパイプ２３とを備えている。
パイプ２３は、図９に示すように、ロ状であり、座面部８１の周囲を取り囲んだ状態で設けられている。コンプレッサ２２は、座面部８１の下に取り付けられており、車輪等を取り付けた下側フレーム８３に固定されている。
図９に示すように、パイプ２３には、長手方向に延びるスリット２４が形成されている。スリット２４は、スリット２４は、短い間隔をおいて長手方向に多数設けられており、全周に亘っている。
【００５７】
一方、吸気部は、図７や図８と同様に、１個の吸気ファン３と１個の抗ウイルスＨＥＰＡフィルタ４から成る吸気ユニット３０が多数並べられてロ状を成した構成を有する。各吸気ユニット３０は、下方の送風部と向かい合っている。各吸気ユニット３０は、不図示のユニットフレームに固定され、ユニットフレームは、四本の支柱３４によって支持、固定されている。前側の二本の支柱３４は主フレーム８２に固定され、後ろ側の二本の支柱３４は、介助者が握るハンドルアーム８４に固定されている。尚、多数の吸気ユニット３０が連なるロ状の内部には、同様に閉鎖シート３３が設けられている。
【００５８】
尚、座面部８１の下方には、不図示のバッテリーが搭載されている。コンプレッサ２２及び各吸気ファン３は、給電のためバッテリーに結線されており、給電線上にはスイッチが設けられている。バッテリーは、電動の車椅子の場合、車輪の駆動用のものと兼用されることもあり得る。
【００５９】
図９に示す車椅子では、コンプレッサ２２から供給される圧縮空気が各スリット２４から噴出され、上方の各吸気ファン３に向けて流れてエアカーテンを形成する。エアカーテンは、座面部８１に座っている患者の周囲を取り囲んだ状態となる。このため、患者がウイルスに感染してしても、周囲にウイルスが拡散してしまうことがなくなる。逆に、周囲にウイルスに感染した者がいても、座面部８１に座っている患者が感染してしまうことがなくなる。
【００６０】
図９に示す実施形態においても、スリット２４を有してコンプレッサ２２につながるパイプ２３に代え、送風ファン２を並べた構成を採用することができる。また、図７や図８に示す実施形態において、送風ファン２を並べた構成に代えてスリットを有するパイプを設け、コンプレッサをつなげても良い。尚、パイプに設ける送風口はスリットでなくとも良く、小さな円形の噴射口を直線上に多数設けた構成であっても良い。噴射される空気が面状の流れ（エアカーテン）を形成できれば、どのような構成でも良い。また、各実施形態の医療設備において、送風部と吸気部とは上下が逆であっても良い。
【００６１】
また、エアカーテン機構１については、エアカーテンが患者を完全に（３６０°）取り囲む構成に限られず、取り囲んでいない部分があっても良い。例えば、医療用ベッド６が病室の壁に接触して設置されている場合、この壁の部分については取り囲んでいない構造であっても良い。
尚、医療設備の他の例として、救急車が挙げられる。救急車においても、例えばストレッチャーが運び込まれて設置されるエリアを取り囲んでエアカーテンを形成するエアカーテン機構１を備えた雰囲気遮断浄化装置を設けても良い。また、家族等が同乗するエリアと患者を乗せるエリアとを遮断するようにエアカーテンを形成しても良い。
【００６２】
次に、雰囲気遮断浄化装置の応用例として、イベント会場の発明の実施形態について説明する。図１０は、イベント会場の発明の実施形態について主要部を示した概略図である。
この発明におけるイベント会場とは、声又は息を吹き出す演者がいて、それを聴く聴衆がいる会場である。演者は例えば歌手であり、聴衆をその歌を聴く者である。この例におけるイベント会場は、コンサート会場やライブハウス、カラオケ店等であり得る。息を吹き出す演者とは、典型的には管楽器を演奏する者である。したがって、吹奏楽が行われるコンサート会場、管楽器を含む楽団、グループによるジャズ演奏が行われるライブハウス等が、この場合のイベント会場の例である。
【００６３】
声を出す演者は、音楽を奏する者には限らない。演劇や話芸（落語や漫才）を行うものも、声を出す演者である。したがって、これらが行われる劇場、芝居小屋、演芸場等も、イベント会場に該当する。
さらに、声を出す演者は、スピーチや会見を行う者であっても良い。したがって、講演会場や記者会見場も、イベント会場の例である。通常の会議室であっても、スピーカーのエリアと聴衆のエリアに分かれている場合、イベント会場に該当する。
【００６４】
これらイベント会場に共通するのは、声又は息を出す演者がいる演者エリアと、それを聴く聴衆がいる聴衆エリアとに分かれている点である。コンサート会場におけるステージは演者エリアの典型例であり、観客席は聴衆エリアの典型例である。演者エリアと聴衆エリアが同じ高さであっても、両者の間に境界がある限り、イベント会場である。
【００６５】
実施形態のイベント会場は、このような演者エリアと聴衆エリアの境界に雰囲気遮断浄化装置を設けた構成となっている。即ち、雰囲気遮断浄化装置は、演者エリアと聴衆エリアの間においてエアカーテンが形成されるよう設置されている。
図１０では、コンサート会場の例が示されている。図１０に示すように、このコンサート会場は、ステージ９の前縁部分に送風部が設置されている。この例では、送風部は、多数の送風ファン２を一列に並べた構成である。各送風ファンは、不図示のファンフレームによって保持されており、各ファンフレームの下側には不図示の脚部が設けられている。したがって、各送風ファン２はステージ９から浮いており、下側に空間が形成されている。もしくは、ステージ９の前縁から聴衆エリアに延びるアームを設置し、このアームによって各送風ファン２を保持することで下方の空間を確保しても良い。
【００６６】
そして、送風部の上方に吸気部が設置されており、送付部と吸気部とがエアカーテン機構１を構成している。この例では、吸気部は、１個の吸気ファン３と１個の抗ウイルスＨＥＰＡフィルタ４とから成る複数の吸気ユニット３０を一列に並べた構成である。吸気部は、不図示のフレームによって保持されており、フレームは照明機器等を設置するためのやぐらを利用して空中から吊り下げている。即ち、左右のやぐらの間に橋渡した不図示の梁に対してフレームが固定されており、これにより吸気部が保持されている。
【００６７】
図１０に示すイベント会場では、雰囲気遮断浄化装置が、演者エリアと聴衆エリアとを遮断してエアカーテンを形成する。このため、演者が発する飛沫やエアロゾルは、エアカーテンに乗って吸い上げられ、抗ウイルスＨＥＰＡフィルタ４に通される。このため、演者が万が一ウイルスに感染していても、抗ウイルスＨＥＰＡフィルタ４によって無害化され、聴衆が感染してしまうことはない。そして、見た目には、エアカーテンという空気の流れが存在するだけであるので、聴衆にとって違和感はなく、コンサートの状況が損なわれてしまうことはない。
【００６８】
このような効果は、コンサート会場以外であっても同様であり、演劇や話芸、講演やスピーチ、記者会見等のイベントが開催されるイベント会場において、ウイルス感染を効果的に防止することができ、イベントの状況が損なわれてしまうことはない。
尚、イベント会場の発明の実施形態においても、送風部としてコンプレッサによって送風口から送風してエアカーテンを形成する構成を採用することが可能である。また、イベント会場の発明の実施形態においても、送風部と吸気部とは上下が逆であっても良い。
【００６９】
次に、第三の実施形態の雰囲気遮断浄化装置について説明する。図１１は、第三の実施形態の雰囲気遮断浄化装置の正面断面概略図である。
第三の実施形態の雰囲気遮断浄化装置は、可搬型の（ポータブルな）ものとなっている。図１１には、二つの例が示されている。図１１（１）では、卓上にて使用することを想定した可搬型の雰囲気遮断浄化装置が示されている。この例の雰囲気遮断浄化装置は、上下で向かい合っている送風部と吸気部とが支柱１００で連結されている。支柱１００は、左右に二本又は前後左右に四本設けられる。前後は、図１１の紙面垂直方向である。
【００７０】
送風部は、複数の送風ファン２が一列に並べられた構成であり、枠状のファンフレーム２５に固定されて相互に連結されている。支柱１００は、ファンフレーム２５に下端が固定されている。二本の支柱１００が設けられる場合、ファンフレーム２５の幅方向（前後方向）の中央に各支柱１００の下端が固定される。支柱１００が四本設けられる場合、ファンフレーム２５の四隅に下端が固定される。
尚、ファンフレーム２５の下面には、左右に脚部２６が固定されている。脚部２６は、各送風ファン２の下側に空間を確保するための部材である。
【００７１】
吸気部は、１個の吸気ファン３と１個の抗ウイルスＨＥＰＡフィルタ４とから成る吸気ユニット３０を複数一列に並べた構成であり、枠状のユニットフレーム３５の内側に固定、保持されている。尚、図１１（１）の例では、ユニットユニットフレーム３５の上面には、左右に取っ手３６が設けられている。
図１１（１）には不図示であるが、各送風ファン２及び各吸気ファン３に電力を供給する電源ケーブルが設けられている。吸気ファン３への電源ケーブルは、支柱１００内に設けられている。
【００７２】
図１１（２）には、可搬型ではあるものの、天井から吊り下げて使用するタイプの雰囲気遮断浄化装置が示されている。この例は、送風部及び吸気部は図１１（１）に示すものと同様であるが、吸気部のユニットフレーム３５には、吊り下げ用のチェーン３７の下端が左右に固定されている。
送風部は、吸気部に対してワイヤー１０１で吊り下げられている。ワイヤー１０１も、左右二本又は四隅に四本設けられる。ワイヤー１０１は金属製であっても良く、十分な強度のプラスチック製であっても良い。
【００７３】
また、送風部において、ファンフレーム２５の下面にはアジャスタ２７が取り付けられている。アジャスタ２７は、図１１（１）に示す脚部と同様に左右に設けられて各送風ファン２の下側に空間を確保するためのものであるが、高さを調節可能なものである。アジャスタ２７は、ねじ切りされた軸棒とこれがねじ込まれる受け皿とで構成されたものであり、テーブルの脚部の下端に設けるのと同様のものである。アジャスタ２７も、左右に２個又は四隅に４個設けられる。
【００７４】
図１１（１）（２）に示す各雰囲気遮断浄化装置においても、送風部及び吸気部から成るエアカーテン機構１によりエアカーテンが形成されて雰囲気が遮断されるので、一方の側にウイルス感染者がいても他方の側にいる者が感染してしまうことが無くなる。そして、可搬型のコンパクトな装置であるので、必要な場所に持っていって簡便にウイルス感染防止対策を行うことができ、この点で特に好適となる。
【００７５】
例えば、図１１（１）に示すタイプのものは、飲食店におけるカウンターに設置し、客と店員との間を仕切ってウイルス感染防止対策とする場合に好適である。この場合も、エアカーテンを通して会話ができ、単なる風の流れであるので、ビニールシートで区切るのに比べて違和感なく接客ができる。別の例としては、官公署やホテル、各種施設における窓口カウンターに設置しても良く、同様の効果が得られる。
【００７６】
図１１（２）のタイプについても同じように使用できるが、比較的高さが高いエリアにおいて雰囲気遮断をする場合に用いると好適である。図１１（１）に示すタイプの場合、高さが高くなると転倒し易くなるので、図１１（２）に示すタイプのように天井と連結するようにすることが好ましい。天井との連結については、家具の転倒防止用のものと同様につっかえ棒状のものを採用することもできる。
【００７７】
図１１に示す各例の雰囲気遮断浄化装置は、全体として可搬型のものであったが、送風部と吸気部とが別々に持ち運べるものであっても良い。例えば、図１１（１）に示す構成において、支柱は設けられておらず、送風部を卓上に設置し、吸気部を天井から吊り下げる構成であっても良い。この場合は、支柱やワイヤーのような連結部材が無くなるので、開放感があって見栄えが良くなるメリットがある。但し、一体持ち運び型と比べると、送風部と吸気部とを向かい合うよう正しい位置に配置しなければならず、設置に際しての簡便さという点では一体持ち運び型の方が優れている。
【００７８】
次に、第四の実施形態の雰囲気遮断浄化装置について説明する。図１２は、第四の実施形態の雰囲気遮断浄化装置の正面断面概略図である。図１２において、（１）は正面断面概略図、（２）は側面概略図である。
第四の実施形態の雰囲気遮断浄化装置は、送風部の構成が上記各実施形態と異なっている。図１２に示すように、第四の実施形態においても、送風部は脚部２６を備えており、送風ファン２の下側の空間を確保している。
【００７９】
この実施形態では、送風部における送風の際の吸気をより安定化させるため、脚部２６を少し高くするとともに流入の安定化を図っている。エアカーテンの形成のためには、ある程度の風量で送風する必要があるが、軸流ファンである送風ファン２を一列に並べた構造では、両端に位置する送風ファン２の外側（隣接する送風ファンがない側）からの吸い込みが多くなり易く、この影響で送風動作が不安定化することがあることが判明している。これを考慮し、この実施形態では、脚部２６を少し高くし、前後方向（図１２に示す垂直方向）における脚部２６の間の空間を通って流入する風を抑える制風部２８を設けている。この例では、制風部２８は、比較的粗い目の金網となっており、前後方向での脚部２６の間の空間を塞ぐよう取り付けられている。この他、ジャロジー窓と同様の構造のルーバーを、制風部として設けても良い。
第四の実施形態の雰囲気遮断浄化装置によれば、送風部が、エアカーテンの分布方向の端部から流入する風を抑える制風部２８を有しているので、送風動作がより安定化する。第四の実施形態における制風部２８は、図１１の実施形態等においても採用しても良いことは勿論である。
【符号の説明】
【００８０】
１  エアカーテン機構
１０  雰囲気遮断浄化装置
２  送風ファン
２２  コンプレッサ
２４  スリット
３  吸気ファン
３０  吸気ユニット
３１  吸気ガイド
３２  吸気ガイド
４  抗ウイルスＨＥＰＡフィルタ
６  医療用ベッド
７  ストレッチャー
８  車椅子
９  ステージ
【要約】
【課題】  人が発する飛沫やエアロゾルを十分に吸引し、ウイルスが含まれていたとしても無害化できる優れた浄化装置を提供し、またこのような装置を医療現場や各種業種に応用する。
【解決手段】  上下に向かい合って配置された複数の送風ファン２及び吸気ファン３により成るエアカーテン機構１により鉛直方向にエアカーテンＦが形成されて雰囲気が遮断され、一方の側にいる人が発する飛沫やエアゾルＥはエアカーテンＦに乗って抗ウイルスＨＥＰＡフィルタ４を通して浄化されて放出される。エアカーテン機構１及び抗ウイルスＨＥＰＡフィルタ４を備えた雰囲気遮断浄化装置は、フィットネスクラブやイベント会場に配置されたり、病室において医療用ベッド６に配置されたり、ストレッチャー７に配置されり、車椅子８に配置されたりする。
【選択図】  図３【図１】
0006868922.tif 000002
【図２】
0006868922.tif 000003
【図３】
0006868922.tif 000004
【図４】
0006868922.tif 000005
【図５】
0006868922.tif 000006
【図６】
0006868922.tif 000007
【図７】
0006868922.tif 000008
【図８】
0006868922.tif 000009
【図９】
0006868922.tif 000010
【図１０】
0006868922.tif 000011
【図１１】
0006868922.tif 000012
【図１２】
0006868922.tif 000013